(57)【特許請求の範囲】
【請求項１】
軒から落下する雨水を受ける親水性塗料あるいは親水性フィルムを塗布、あるいは貼着した伝水導入部材と、該伝水導入部材下端部近傍に上方に開口した入水口を形成するように配備される受水部材とを別部材とし、これら構成部材を支持部材を介して適宜配置を保ちながら固定してなる軒樋構造において、上記伝水導入部材の外方先端の鉛直線近傍に前記入水口を配置したことを特徴とする軒樋構造。
【発明の詳細な説明】
【０００１】
【産業上の利用分野】
本発明は、異物の混入、雪落等の衝撃による変形や脱落の防止を図り、積雪地域での使用も可能にする軒樋構造に関するものである。
【０００２】
【従来の技術】
従来の軒樋は、（１）雨水を受ける樋が、樋金具を介して直に上方に開口して設置されていた。また、（１）積雪地域用では、殆ど軒樋が使用されていなかった。さらに（２）希に存在する１部材で構成された積雪地域用の軒樋は、形状が複雑になっていた。
【０００３】
【発明が解決しようとする課題】
しかしながら、（１）にあっては、（イ）落ち葉、ゴミ等の混入が避けられず、メンテナンスに手間がかかる。（２）は（ロ）積雪荷重に耐えられず、耐用数年が短い。（３）は（ハ）積雪地域でも簡単な施工で、軒樋の使用を可能にする必要があった。
【０００４】
【課題を解決するための手段】
本発明はこのような欠点を除去するため、軒から受け樋に至る途中に親水性塗料あるいは親水性フィルムを塗布、あるいは貼着した伝水導入部材（以下、単に伝水導入部材という）を別部材で形成し、支持部材を介在することでコアンダ効果、ティーポット効果を発揮して、雨水を所定の場所に流下させると共に、異物混入防止、積雪荷重及び落雪等の衝撃による破損防止を図り、支持部材にセットするだけで容易に位置決めが可能となる軒樋構造を提案するものである。
【０００５】
【実施例】
以下に、図面を用いて本発明に係る軒樋構造について詳細に説明する。図１は軒部に本件発明の軒樋構造Ａを使用した一例を示す構成略図であり、伝水導入部材Ｂと、受水部材Ｃと、これらを支持する支持部材Ｄとを別部材で形成したものである。また屋根材Ｅは、横長尺屋根をはじめとする各種金属屋根、あるいはセメント系新生瓦、粘土瓦等市販の屋根材を使用することができる。
【０００６】
図２〜図３は図１の各構成部材を抽出した説明図であり、図２のように伝水導入部材Ｂは、略断面コ字状の係合溝１を持つ固定片２と、その固定片２下端を外方に半円凸状に突出した雨水反転片３と、この雨水反転片３下端に上記固定片２と略対称形の係合溝１を持つ係合片４とからなり、さらに受水部材Ｃは、上記伝水導入部材Ｂを時計回りにほぼ９０度回転して使用することもできるが、図示したように上方に開口した角パイプ状で、入水口５を有し、該角パイプ状に屈曲した底片６と、底片６の両先端を上方に直角に立ち上げた外方側壁７とからなり、この外方側壁７上端には、上記係合溝１とほぼ同形状の固定片、係合片２、４を形成したものである。勿論この角パイプ形状以外に半円、楕円、台形状に対して例えば雄型の固定片、係合片２、４などを採用した伝水導入部材Ｂ、受水部材Ｃとすることもできる。さらに図示しないが、複数部材からなる伝水導入部材Ｂ、受水部材Ｃとすることも可能である。素材としてはカラー鋼板の他、各種金属材料、合成樹脂材料、セラミック等の無機焼成材料、セメント材料を用い、押出、ロールフォーミング、折曲げ、プレス加工等によって成形するものである。
【０００７】
図３は支持部材Ｄを示すものであり、前記した係合溝１に挿入可能に形成した雄型片８を各々上下、左右に持つ断面Ｔ字状の型材９、１０の中支柱１１、１２を直交した支持材１３と、鼻隠し等の下地材αに一端をビス等の固定具βで固定する固定面１４と、他端近傍に上記中支柱１１と例えば螺合する受け面１５を有する断面Ｌ字状の受け材１６とを一体化したものである。上記支持部材Ｄとして、内吊り形式の２部材の例を示したが、図９のように外吊り形式の支持部材Ｄとしたり、単部材や３以上の複数部材とすることもできる。
【０００８】
図４は、従来の軒樋Ｆを積雪地帯で使用した場合を示す説明図であり、積雪γが軒の屋根材Ｅからせり出し、上方に開口した軒樋Ｆにせりだした積雪γの全荷重がかかるため、軒樋Ｆは勿論軒樋金具Ｇにも変形が起こり、固定具βに浮き上がりが見られるようになった例である。この状態では軒樋Ｆの機能が失われ、軒樋外への漏水が避けられず使用できない場合さえある。
【０００９】
図５は、伝水導入部材Ｂを図示のように形成し、よりヌレ性を向上したものであり、基材１７上に、（ａ）は親水性塗料あるいは親水性フィルム１８を塗布、あるいは貼着したもの、さらに素材としてプラスチック等を使用した場合は、帯電防止剤等親水性を向上する材料を練り込んだものであれば、同様な効果が得られる。なお、親水性塗料あるいは親水性フィルム１８等の親水性材料の特徴は、図５（ｂ）に示すように、（１）親水性が高いと、接触面と水滴ｒの接触角θが小となり、（ｃ）に示すように接触角θが大きくなると撥水性が高くなる。なお、親水性と言われる範囲は０°≦θ≦６０°である。また、（２）接触角θが小さくなれば水の体積が同じでも接触面との接触面積が大きくなる。（３）斜面を水が流れる場合、接触面積が大きいほど抵抗が大きくなり、流速が遅くなる。（４）そのために、軒先より雨水が飛び出しにくい。等である。
【００１０】
図６は、伝水導入部Ｂ先端のアール形状等を種々変化した場合であり、（ａ）〜（ｄ）は雨水反転片３の半径を順次漸減したものである。この半径Ｒは上記したように種々の値をとりうるが、Ｒ＞２０ｍｍであればより良好な結果となる。また（ａ）、（ｃ）は雨水反転片３と水切り上面２３の境界に水切突起２４を形成したり、（ｂ）、（ｄ）のように水切り上面２３を傾斜面、あるいは鋸歯状の水切りとすることもできる。（ｅ）〜（ｋ）は雨水反転片３の形状を種々変化させたものであり、（ｅ）は反転片３を２重に密着折り返して強度を向上したもの、（ｆ）は（ｅ）において幾分空隙をもたせたもの、（ｇ）は雨水反転片３のＲ部分を多角形に形成したもの、（ｈ）は（ａ）において、水切突起２４を半円形で、複数条形成したもの、（ｉ）は雨水反転片３のＲ部分に逆Ｒ状の窪部２５を１以上形成し、２つ以上のＲを形成したもの、（ｊ）は大きな鈍角状の傾斜面所謂、急勾配の屋根に使用する場合、（ｋ）は軒先から流下する雨水を一時減速する緩衝用の凹部２６を形成したもの、（ｌ）は雨水反転片３に鉛直部３ａを形成し、水切上面２３を幾分外方へ傾斜したものである。
【００１１】
図７は、受水部材Ｃの本体２７を種々変化した場合であり、（ａ）は逆Ｍ字状としたもの、（ｂ）は蟻溝状としたもの、（ｃ）、（ｄ）は等辺あるいは不等辺台形状、（ｅ）、（ｇ）は底片６を階段状段差２８を形成したもの、（ｆ）は鍋状断面２９としたものである。
【００１２】
次に、本発明に係る軒樋構造の施工例について簡単に説明する。いま図１に示すように軒樋構造Ａを施工するためには、図２、３に示すような部材を用いる。そこで図１に示すように支持部材Ｄが下地材αに固定具βによって固定される。固定された支持部材Ｄに図２（ａ）、（ｂ）の伝水導入部材Ｂ、受水部材Ｃを順次係止する。上記工程を桁方向に連続して施工することで軒樋Ｇを完成するものである。なお、図示しないが軒樋Ｇ同士の接続部、あるいは谷部、下り棟部には専用の付属品を用いることもできる。
【００１３】
次に、本発明に係る軒樋構造の動作についてさらに説明する。雨水ｒが図１の１点鎖線の矢印で示すように屋根材Ｅから接続した伝水導入部材Ｂの雨水反転片３に導入され、アール形状に沿って下方に流下すると、流体の特性であるコアンダ効果、ティーポット効果により鉛直線イ方向より内側に回り込むことになり、水切上面２３に変わる境界で下方に落下するが、この落下する雨水ｒを余裕の範囲でカバーする上記鉛直線イ近傍で、しかも前記水切状面２３に接近した位置に入水口５を配設してあるため、流下する雨水ｒの全てを収集することができる。一方積雪γがある冬期間は、軒部で回り込む雪が雨水反転片３外方先端から鉛直線イ方向に自然落下することにより、受水部材Ｃを破損することがない。勿論落ち葉、ゴミ等は上記積雪γと同様に自然落下し、入水口５から受水部材Ｃに入り込むことが殆どない。なお屋根材Ｅにも親水性を付加することで上記コアンダ効果、ティーポット効果をより向上させることも可能である。
【００１４】
以上説明したのは本発明に係る軒樋構造の一実施例にすぎず、図８〜図２０に示すように形成することもできる。すなわち図８〜図９（ａ）、（ｂ）は、軒樋構造のその他の例を示すものであり、図８（ａ）は雨水反転片３と屋根の唐草又は捨板３０を兼用したもので、外吊型支持材１３を介して受水部材Ｃを固定したもの、（ｂ）は雨水反転片３と第１段目の屋根材Ｅとを兼用した他、唐草又は捨板３０を付加し、さらに融雪装置３１を図のように配設したもの、図９（ａ）は雨水反転片３の上端を外方にＬ字状に折り返した係止片３２を形成し、融雪装置３１を屋根材Ｅ裏面及び雨水反転片３裏面の複数箇所に形成したものであり、さらに鉛直線イより△ｔ≒１０ｍｍ程度突出した位置に入水口５を配設したもの、（ｂ）は押出成形によって伝水導入部材Ｂと受水部材Ｃを一体化しものであり、さらに雨水反転片３の部分に例えばエンボス加工を施した金属板、あるいは親水性フィルム等３３を複合化したものである。なお図８のように鉛直線イより突出しない位置が好ましいが、図９のように僅かに突出する位置としたり、高機能性親水性材料を使用すれば逆に、図８（ａ）に２点鎖線で示したように鉛直線イよりかなり内側に入り込んだ位置に配設することも可能である。
【００１５】
図１０〜図２０は軒樋構造Ａのその他の例を示すものであり、図１０は伝水導入部材Ｂと受水部材Ｃとを各々別部材とし、複数部材を組み合わせた支持部材Ｄによって固定したもので、（ａ）は半円状の組み合わせからなり、（ｂ）は半円状伝水導入部材Ｂと角状受水部材Ｃとの組み合わせで、屋根材Ｅとの境界に防水シール材３４を装填したもの、図１１は伝水導入部材Ｂと受水部材Ｃとを一体とし、複数の支持部材Ｄの組み合わせによって形成し、固定したもので、鼻隠しα等の形状を（ａ）、（ｂ）のように変化させたものである。また（ｂ）は水切り３５を形成することで、雨水の規定範囲への流下を確保するものである。
【００１６】
図１２〜２０は軒樋構造Ａのその他の例を示すものであり、図１２（ａ）、（ｂ）は伝水導入部材Ｂと受水部材Ｃとを別部材から形成すると共に、（ａ）のように上、下部支持部材Ｄ１、Ｄ２の複数部材からなる係止構造とし、伝水導入部材Ｂを上記上部支持部材Ｄ１の係止溝３６に引っかける構造としたもの、あるいは（ｂ）のように融雪装置３１を配設したものである。図１３（ａ）は支持部材Ｄと受水部材Ｃとを一体とし、該支持部材Ｄの係止溝３６に伝水導入部材Ｂの係止片３７を引っかけ固定したもので、（ｂ）は傾斜した鼻隠しαに対応した専用支持具３８を形成したもの、図１４（ａ）、（ｂ）は前記図１３において、支持部材Ｄを中空押出材とし、特に（ａ）は、水切突起２４を三角形頂点状としたものである。
【００１７】
図１５（ａ）、（ｂ）は屋根材Ｅと伝水導入部材Ｂとの継続性を良好とした他、（ａ）は上下左右の調整を可能としたもの、（ｂ）は、左右の調整を可能としたものである。図１６は上記図１５と同様に、屋根材Ｅと伝水導入部材Ｂとの継続性を良好とし、さらに伝水導入部材Ｂを２部材として、上記支持部材Ｄの係止溝３６に引っかけると共に、他方の雄部３９を支持部材Ｄの雌部４０に嵌合する構造としたもの、あるいは（ｂ）のように伝水導入部材Ｂを２部材とし、（ａ）と幾分相違する嵌合構造としたものである。図１７（ａ）は図１５（ａ）において、伝水導入部Ｂと支持部材Ｄとを一体としたものであり、（ｂ）は伝水導入部Ｂを樹脂化することで、施工性の向上を図ったもの、図１８（ａ）、（ｂ）は、図１１（ａ）、（ｂ）において、支持部材Ｄ、及び受水部材Ｃを中空押出材とし、特に（ａ）は、雨水反転片３を図示するように補強片４１を付加してより強度を向上したもの、図１９（ａ）は図１５（ａ）において、雨水反転片３にあたる部分に親水性を向上する材料、及び加工を付加した金属板、あるいはフィルム、塗料等を付加したもの、（ｂ）図１５（ｂ）において、左右スライド支持具４２を大型とし、質感を向上したものである。図２０（ａ）、（ｂ）は屋根材Ｅと伝水導入部材Ｂとの接続を良好とし、さらに（ａ）は円筒形の伝水導入部材Ｂと受水部材Ｃとを一体にして、支持部材Ｄを介して固定したもの、（ｂ）は、受水部材Ｃをコ字状とし、支持部材Ｄをこれに習ったコ字状に形成したものである。
【００１８】
【発明の効果】
上述したように本発明に係る軒樋構造によれば、（１）ゴミによる排水路のつまりを防止してメンテナンスの手間を省き、また（２）積雪荷重、落雪等による軒樋の破損を防止して耐久性を向上する。（３）積雪地域でも軒樋が使用できる。（４）軒樋にあって、コアンダ効果、ティーポット効果が有効に機能する形状と親水性向上材料を採用することで、上記効果を持続して発揮することができる。また、融雪装置を併用すれば、（５）冬期の「すがもれ」による室内側への漏水事故を防止することができると共に、（６）軒樋内が凍り付くこともない。（７）屋根面の融雪と軒樋内の融雪を同時に行うことにより、冬季の雨水の流下（融雪）を、速やかに、かつ確実に行える。（８）支持部材を介することで、樋の施工が簡単に行え、調整の手間が省ける等の特徴、効果がある。
【図面の簡単な説明】
【図１】本発明に係る軒樋構造の代表例を示す説明図である。
【図２】本発明に係る軒樋構造の部材の代表例を示す説明図である。
【図３】本発明に係る軒樋構造の支持部材の代表例を示す説明図である。
【図４】従来の軒樋を示す説明図である。
【図５】伝水導入部材表面のその他の例を抽出して示す説明図である。
【図６】伝水導入部材の外方先端形状を抽出して示す説明図である。
【図７】受水部材本体のその他の例を示す説明図である
【図８】軒樋構造のその他の例を示す説明図である。
【図９】軒樋構造のその他の例を示す斜視図である。
【図１０】軒樋構造のその他の例を示す説明図である。
【図１１】軒樋構造のその他の例を示す説明図である。
【図１２】軒樋構造のその他の例を示す説明図である。
【図１３】軒樋構造のその他の例を示す説明図である。
【図１４】軒樋構造のその他の例を示す説明図である。
【図１５】軒樋構造のその他の例を示す説明図である。
【図１６】軒樋構造のその他の例を示す説明図である。
【図１７】軒樋構造のその他の例を示す説明図である。
【図１８】軒樋構造のその他の例を示す説明図である。
【図１９】軒樋構造のその他の例を示す説明図である。
【図２０】軒樋構造のその他の例を示す説明図である。
【符号の説明】
Ａ  軒樋構造
Ｂ  伝水導入部材
Ｃ  受水部材
Ｄ  支持部材
Ｅ  屋根材
Ｆ  従来軒樋
α  鼻隠し
β  固定具
γ  積雪
ｒ  雨水
１  係合溝
２  固定片
３  雨水反転片
４  係合片
５  入水口
６  底片
７  外方側壁
８  雄型片
９、１０  型材
１１、１２  中支柱
１３  支持材
１４  固定面
１５  受け面
１６  受け材
１７  基材
１８  親水塗料、フィルム
１９  凹溝
２０  硅砂
２１  凸リブ
２２  凹凸エンボス加工
２３  水切上面
２４  水切突起
２５  窪部
２６  凹部
２７  本体
２８  段差
２９  鍋状断面
３０  唐草又は捨板
３１  融雪装置
３２  係止片
３３  フィルム
３４  防水シール材
３５  水切り
３６  係止溝
３７  係止片
３８  支持具
３９  雄部
４０  雌部
４１  補強片
４２  スライド支持具
イ  鉛直線
【図１】
0003855183.tif 000002
【図２】
0003855183.tif 000003
【図３】
0003855183.tif 000004
【図４】
0003855183.tif 000005
【図５】
0003855183.tif 000006
【図６】
0003855183.tif 000007
【図７】
0003855183.tif 000008
【図８】
0003855183.tif 000009
【図９】
0003855183.tif 000010
【図１０】
0003855183.tif 000011
【図１１】
0003855183.tif 000012
【図１２】
0003855183.tif 000013
【図１３】
0003855183.tif 000014
【図１４】
0003855183.tif 000015
【図１５】
0003855183.tif 000016
【図１６】
0003855183.tif 000017
【図１７】
0003855183.tif 000018
【図１８】
0003855183.tif 000019
【図１９】
0003855183.tif 000020
【図２０】
0003855183.tif 000021